(57)【要約】      （修正有）【課題】空気輸送システム内で物質を輸送するための輸送デバイス、及び、そのような輸送デバイスからなるシステムを提供する。【解決手段】第一の空気圧システム部分１１と第二の空気圧システム部分１２との間で空気輸送可能な物質Ｍを輸送するためのものである。空気圧システム部分１１、１２は、連続空気輸送経路ＣＬを形成する複数の気送管１３を有し、前記デバイス１ａ、１ｂは、連続空気輸送経路ＣＬを介して空気圧または真空を提供するように作用する第一及び第二の空気圧システム部分の一方へ空圧的に結合された空気源２ａ、２ｂ、典型的に真空源２ａを有する。空気輸送可能な物質を輸送することに関して本質的に一定の速度を提供するために、コントローラ４ａ、４ｂが、空気輸送経路をモニターするように適応されたモニタリング・ライン３からの入力に応じて、真空源の速度及び／または物質の質量流量を各々制御するように構成される。【選択図】図１
2016222463.tif 000002
【特許請求の範囲】
【請求項１】
空気による空気圧システム（１０）内で空気輸送可能な物質（Ｍ）を輸送するための空気輸送デバイス（１ａ、１ｂ）であって、
第一の空気圧システム部分（１１）と第二の空気圧システム部分（１２）との間で前記空気輸送可能な物質（Ｍ）を輸送するためのものであり、
前記空気圧システム部分（１１、１２）が、連続空気輸送経路（ＣＬ）を形成する複数の気送管（１３）を有し、
前記デバイス（１ａ、１ｂ）が、前記連続空気輸送経路（ＣＬ）を介して空気圧または真空を提供するように作用する前記第一及び前記第二の空気圧システム部分（１１、１２）の一方へ空圧的に結合された空気源（２ａ、２ｂ）を有し、
前記空気輸送可能な物質（Ｍ）を輸送することに関して本質的に一定の速度を提供するために、コントローラ（４ａ、４ｂ）が、前記空気輸送経路（ＣＬ）をモニターするように適応されたモニタリング・ライン（３）からの入力に応じて、前記空気源（２ａ）の速度及び／または前記物質（Ｍ）の質量流量を各々制御するように構成されることを特徴とする、空気輸送デバイス。
【請求項２】
前記空気源（２ａ）が、前記空気のための前記連続空気輸送経路（ＣＬ）を介して真空を提供するように適応された空圧ポンプ（２ａ）であり、前記圧力モニタリング・ライン（３）が前記ポンプ（２ａ）と前記コントローラ（４ａ）との間で結線され、前記コントローラは前記ポンプ（２ａ）へのフィードバック（５ａ）ラインを介して制御信号を生成するように構成される、請求項１に記載の空気輸送デバイス（１ａ）。
【請求項３】
前記ポンプ（２ａ）が流体駆動エジェクタ・ポンプであり、前記コントローラ（４ａ）が、異なる圧力（Ｐ１…Ｐｎ）の供給制御信号（Ｓポンプへのフィードバック）を生成するように構成される、請求項２に記載の空気輸送デバイス（１ａ）。
【請求項４】
前記ポンプ（２ａ）が電動周波数制御式真空ポンプであり、前記コントローラ（４ａ）が、異なる周波数（ｆ１…ｆｎ）を有する制御信号（Ｓポンプへのフィードバック）を生成するように構成される、請求項１に記載の空気輸送デバイス（１ａ）。
【請求項５】
ベント（５ａ、５ｂ）が、前記空気源（２ｂ）からの空気圧を排出する、あるいは前記空気源（２ｂ）へ大気を提供するよう選択的に作用する、請求項１乃至４のいずれか一つに記載の空気輸送デバイス（１ｂ）。
【請求項６】
さらに、前記モニタリング・ライン（３）に結合されたシステム真空圧力第一センサ（３ａ）を有し、
前記真空圧力センサ（３ａ）が、前記モニタリング・ライン（３）及び連続空気輸送経路（ＣＬ）内のシステム真空圧力を示すセンサ信号（Ｓセンサ）を生成する、請求項１に記載のデバイス。
【請求項７】
前記コントローラ（４ｂ）が、第二の流量センサ（３ｂ）からの前記センサ信号（Ｓセンサ）に応じて、前記ベント（５ｂ）を作動するように構成される、請求項５に記載のデバイス。
【請求項８】
前記ベント（５ａ、５ｂ）の少なくとも一つが比例式アクチュエータ（真空）からなる、請求項５または７のいずれかに記載のデバイス。
【請求項９】
空気による空気圧システム（１０）内で空気輸送可能な物質（Ｍ）を輸送するための、すなわち第一の空気圧システム部分（１１）と第二の空気圧システム部分（１２）との間で前記空気輸送可能な物質（Ｍ）を輸送するための少なくとも一つの空気輸送デバイス（１ａ、１ｂ）であって、前記空気圧システム部分（１１、１２）が連続空気輸送経路（ＣＬ）を形成する複数の気送管（１３）を含む前記空気輸送デバイスを有し、
前記デバイス（１ａ、１ｂ）が、前記連続空気輸送経路（ＣＬ）を介して空気圧または真空を提供するように作用する前記第一または前記第二の空気圧システム部分（１１、１２）の一方へ空圧的に結合された空気源（２ａ、２ｂ）を有し、
前記空気輸送可能な物質（Ｍ）を輸送することに関して本質的に一定の速度を提供するために、コントローラ（４ａ、４ｂ）が、前記空気輸送経路（ＣＬ）をモニターするように適応されたモニタリング・ライン（３）からの入力に応じて、前記空気源（２ａ）の速度及び／または前記物質（Ｍ）の質量流量を各々制御するように構成されることを特徴とする、空気輸送システム（１０）
【発明の詳細な説明】
【技術分野】
【０００１】
本開示は、概して空気輸送システムに関し、より具体的には、空気輸送システム内で物質を輸送するための輸送デバイス、及び、そのような輸送デバイスからなるシステムを提供する。
【背景技術】
【０００２】
空気輸送システムは、例えば、複数の相互に連結されたチューブ内の第一の基点位置と第二の到達位置との間で、空気で移動可能な物質を輸送することにおいて周知である。典型的な空気輸送システムは、空気で移動可能な物質を内側で輸送するパイプライン等の搬送ラインへ相互に連結された複数の気送管を含む。種々の空気輸送デバイスは、第一の位置、すなわち基点及び／または第二の位置、到達先において、パイプライン内で空気輸送可能な物質の輸送のためにパイプライン内を流れる空気等の流体に影響を与える力を提供する。したがって、空気輸送システムは、流体圧または真空下で物質を輸送する。これらの空気輸送システムでは、しばしば、真空が用いられるため、時々、単純に「真空搬送技術」と呼ばれることもある。
【０００３】
例えば、真空搬送技術を用いる気送管輸送システムの搬送ラインを形成する気送管は、直管のみでなく曲管をも含んで、種々の位置の間での物質輸送を可能にするいかなる方式で設けられてもよい。パイプライン内の基点位置と到達位置との間の距離が非常に長い場合も、また、パイプライン内での物質輸送速度が非常に高い場合もあることは留意すべきである。
【０００４】
空気輸送システムは、また、架橋するパウダーから自由に流れるパウダーまで、多種多様な製品を扱うことを典型的に要求される。
【０００５】
真空技術すなわち真空搬送技術を用いる空気輸送システム、特にコンベヤ・ラインの典型的な適用分野は、他の必要条件の間でも特に「ロバストネス」を必要とする食品及び製薬業界である。
【０００６】
本明細書の用語「ロバストネス」は、空気輸送システムが、しばしば脆弱で輸送の間に破損し易い物質を損傷に至らせることなく、合理的な高速度で物質を輸送可能でなければならないことを意味する。例えば、物質の輸送速度が高く、または「過度に」高く、また、物質が管の湾曲部分に当たる、あるいは、物質の一部が互いに衝突する、例えば、パイプライン内での輸送中にタブレットが相互に衝突する場合、物質は破壊されてしまう恐れがある。したがって、物質が破壊される程に「過度に」高い輸送速度は望ましくない。
【０００７】
特定の空気輸送システムの輸送能力、及び輸送物質の特性に関して、「過度に」多くの物質が気送管輸送システム内へ供給される場合、物質の輸送速度は減少し、それにより輸送能力も低下することになる。
【０００８】
輸送速度が過度に高い場合、輸送システムに使用されている管または他の構成部品へ不要に重度の損耗を生じさせるという、他の問題も存在する。
【０００９】
速度検出センサ等の高価なタイプのセンサを必要とする高価な電子制御システムに関わる課題もある。速度検出センサを用いるシステムの実施例が、ＥＰ２００３０７５Ａ１に開示されている。センサは、輸送経路内に配置されている。
【００１０】
我々の知るところによれば、気送管輸送システムに関するこれらの課題のいずれも、これまで完全には解決されてはいない。
【発明の概要】
【００１１】
空気等の流体による空気圧システム内での空気輸送可能な物質の輸送を改善するための、少なくとも一つのそのような輸送デバイスからなり、空気輸送経路を形成する複数の気送管を介して、第一の空気圧システム部分、すなわち基点から、第二の空気圧システム部分、すなわち到達先へ、タブレット、パウダー等の空気輸送可能な物質を輸送するため空気輸送デバイス及びシステムが本明細書にて提供される。デバイス及びシステムは、空気輸送可能な物質が、本質的に一定の速度で輸送されることを可能にする。本明細書の用語「本質的に一定の速度」は、±２０%の速度変動を意味し、それでも「一定の速度」と見なす。この点に関して、空気圧または真空が、本質的に一定の流れを達成するよう空気輸送デバイスによって制御される。空気輸送可能な物質の本質的に一定の速度を利用する機能は、大きな利点となる空気輸送可能な物質の加速及び／または遅滞の減少を提供する。
【００１２】
第一の態様によれば、空気、窒素等の流体による空気圧システム内で空気輸送可能な物質を輸送するための空気輸送デバイスが提供される。これは、第一の空気圧システム部分と第二の空気圧システム部分との間で、例えば、第一の空気圧システム位置、すなわち基点から、第二の空気圧システム位置、すなわち到達先へ、空気輸送可能な物質を輸送するためのものである。本明細書の用語「第一の部分」は基点位置を含み、用語「第二の部分」は到達位置を含む。
【００１３】
空気圧システム部分は、連続する空気輸送経路を形成する複数の気送管を有する。空気輸送デバイスは、連続空気輸送経路を介して（「空気圧」と呼ばれる）陽圧または陰圧、真空等の流体圧を提供するよう作用する第一または第二の空気圧システム部分の一つへ空圧的に結合される空気源等の空気流体源を有する。速度コントローラは、空気輸送経路をモニターするように適応された一つ以上のモニタリング・ラインからの入力に応じて、空気輸送可能な物質の輸送に本質的に一定の速度を提供するよう、空気源の速度及び／または物質の質量流量を各々制御するよう構成される。
【００１４】
システム圧力センサは、モニタリング・ラインへ結合され、圧力センサが、モニタリング・ライン内の、すなわち同じシステム圧力を有する搬送ライン内のシステム圧力を示すセンサ信号を生成するように構成される。モニタリング・ラインは、典型的に、搬送ラインに並列に設けられる。速度コントローラは、モニタリング・ライン内の圧力センサからの入力に応じて、各々空気源の速度及び／または物質の質量流量を制御するように構成される。
【００１５】
このように、各々空気源の速度及び／または質量流量の簡単で安価な制御が、従来技術によるシステムに使用される複雑な電子的制御とは対照的に提供される。このことは、また、圧力センサのみが必要となるため、典型的に高価なスピードセンサの使用を避けることになる。また、センサが一つ以上のモニタリング・ライン内に配置されるため、搬送ライン内にセンサを配置することに関わる問題を避けることができる。センサは、例えば損耗に過敏であり得るため、センサが搬送ライン内に配置され、且つセンサが敏感なスピードセンサである場合、それは深刻な問題になり得る。
【００１６】
本開示における用語「空気輸送デバイス」は、以下の少なくとも一つを含む。流体駆動エジェクタ・ポンプ、電気式真空ポンプ、真空コンベヤ、質量流量制御を備えた供給ホッパ。
【００１７】
本開示における用語「空気輸送可能な物質」は、架橋するパウダーから自由に流れるパウダーまでを含んで、空気等の流体によって輸送可能な、いかなる物質であってもよい。
【００１８】
本開示における用語「流体」は、空気、窒素を含むが、これらの流体に限定されるものではない。窒素が使用される場合は、供給ホッパは蓋を含む。
【００１９】
本開示における用語「流体源」は、エジェクタ・ポンプ、電気式真空ポンプ及び供給ホッパとして構成されるもの、あるいはそれらに結合されるものであるが、これらに限定されるものではない。流体が空気である場合、ソースは「空気源」と呼ぶ。
【００２０】
コントローラは、制御信号を生成し、空気輸送デバイスの速度及び／または空気輸送経路内での物質の質量流量を制御することによって、空気輸送可能な物質の輸送における本質的に一定の速度を可能にする。このようにして、物質の本質的に一定の輸送速度が得られる。これには、上述したことに加えて、電力消費量の減少、システム内で使用される構成部品の損耗の減少、ノイズの低減、物質の損耗の減少、空気で移動可能な物質の流れの増加を含む複数の利点がある。
【００２１】
もう一つの態様においては、空気源が、空気のための前記連続空気輸送経路を介して真空を提供するよう適応された空圧ポンプである第一の態様による空気輸送デバイスが提供される。この場合、圧力モニタリング・ラインがポンプとコントローラとの間を連結し、コントローラが、ポンプへのフィードバック・ラインを介して制御信号を生成するように構成される。
【００２２】
もう一つの態様においては、空気源が電動周波数制御式真空ポンプである第一の態様による空気輸送デバイスが提供される。この場合、コントローラは、異なる複数の周波数を有する制御信号を生成するように構成される。
【００２３】
他の態様によれば、少なくとも一つの空気制御デバイスからなるシステムが提供される。
【図面の簡単な説明】
【００２４】
次に、本開示及びそれに含まれるさらなる利点のより完全な理解のために、図面と併せて以下の詳細説明を考察する。
【００２５】
【図１】二つの空気輸送デバイスからなる、本発明による空気輸送システムの一つの実施形態を表す。
【図２】本発明による空気輸送システムに使用するための一つの空気輸送デバイスの第一の実施形態を表す。
【図３】本発明による空気輸送システムに使用するための一つの空気輸送デバイスの第二の実施形態を表す。
【図４】エジェクタ・ポンプの異なる圧力での、または電気式真空ポンプ供給の異なる周波数での、真空システム圧力対真空流量のグラフを表す。
【発明を実施するための形態】
【００２６】
次に、添付図面を参照する。これらは、本発明に関連する種々の特徴を説明するのを少なくとも支援することを意図している。この点に関しては、以下の説明は、解説及び説明目的で提示されている。さらに、説明は、本発明の開示実施形態を、本明細書に開示された形態へ限定することを意図していない。したがって、以下に教示する事項に相当な変形及び変更を加えたもの、及び、関連技術における技能及び知識は、提示される発明の範囲内にある。
【００２７】
次に、図１を参照する。これは、本発明による空気輸送システム１０の一つの実施形態を表す。空気輸送システム１０は、圧縮空気等の流体によって、ここでは真空によって、空気圧システム１０内で空気輸送可能な物質Ｍ（図示せず）を輸送するための、（典型的に）第一の空気圧システム部分１１から第二の空気圧システム部分１２までの間で空気輸送可能な物質Ｍを輸送するための、少なくとも一つの空気輸送デバイスからなり、ここでは二つの空気輸送デバイス１ａ、１ｂを有する（空気圧システム部分１１、１２を概略的に表すことを意図した境界線を参照）。空気圧システム部分１１、１２は、（例えば、限定せずに、断面が円形の）複数の相互接続された気送管１３を有し、管１３は、用途に応じて例えばステンレス鋼または他の適切な材料から製造され、空気輸送可能な物質Ｍを輸送するための、しばしば搬送ラインとも呼ばれる連続空気輸送経路ＣＬを形成する。この実施形態による空気圧システム１０は、二つの空気輸送デバイス１ａ、１ｂを有し、この場合、第一の空気輸送デバイス１aが第二の空気圧システム部分１２に結合され、第二の空気輸送デバイス１ｂが第一の空気圧システム部分１１に結合される。この図面に示されていない他の実施形態によれば、輸送システム１０内には、単一の空気輸送デバイス１ａ、１ｂが設けられてもよい。
【００２８】
第一の位置、すなわち基点１ｂ及び／または第二の位置、すなわち到達先１ａの空気輸送デバイス１ａ、１ｂは、パイプ内での空気輸送可能な物質Ｍの輸送のためにパイプ１３内を流れる空気等の流体に影響を与える力を提供する（矢印によって図示された搬送ラインＣＬ内の流れの方向を参照）。したがって、空気輸送システムは、流体圧または真空下で物質Ｍを輸送する。この場合、真空は、第一の空気輸送デバイス１ａによって提供される。
【００２９】
空気輸送デバイス１ａ、１ｂの各々は、各々コントローラ４ａ、４ｂを有し、あるいはコントローラと通信するように構成され、各々（コントローラ４ａ、４ｂ）は、第一の空気輸送デバイス１ａ内に設けられた空気源２ａの速度を制御するように構成される。空気輸送デバイスは、空気輸送可能な物質Ｍの本質的に一定の輸送速度を提供するよう、（搬送ラインＣＬの一つ以上の適切な位置で）空気輸送経路ＣＬをモニターするように構成された各々の、または組み合わせたモニタリング・ライン３からの入力に応じて、各々、物質Ｍに関して、調節可能な供給圧力で、または異なる複数の調節可能な供給周波数及び／または質量流量で作動可能である（空気源２ｂは、供給ホッパであり、第二の輸送デバイス１ｂ内に設けられている）。本質的に一定の速度がどのように得られるのかを、さらに以下に説明する。
【００３０】
典型的に、モニタリング・ライン３には、システム（真空）圧力センサ３ａが結合され、この真空圧力センサ３ａは、モニタリング・ライン３内の、すなわち（同じシステム圧力を有する）搬送ラインＣＬ内の（図４に表す）システム真空圧力を示すセンサ信号Ｓセンサを生成する。
【００３１】
次に、図２を参照する。この実施形態においても同じものに言及する、いわゆる「真空コンベヤ」を含むこの実施形態による第一の空気輸送デバイス１ａは、（代わりに第一の空気圧システム部分に結合させることも可能であるが）第二の空気圧システム部分１１へ空圧的に結合された空気源２ａを有し、連続空気輸送経路ＣＬ、すなわち搬送ラインを介して、ここでは調節可能な供給圧力で作動する流体駆動エジェクタ真空ポンプによって、あるいは異なる複数の調節可能な供給周波数で作動する電動真空ポンプによって、真空を提供するように作動する。調節可能な供給圧力（空気源２ａが流体駆動エジェクタ・ポンプとして具現化された場合）または調節可能な供給周波数（空気源２ａが電動真空ポンプとして具現化された場合）は、搬送ラインＣＬの一つ以上の適切な位置でのシステム圧力（真空）及び／または流量（真空）を感知可能なセンサ３ａを有するモニタリング・ライン３からの入力Ｓセンサに応じて、コントローラ４ａによって制御可能である（センサ３ａの種々の可能な構成を表すことを意図して、ここでは概略的に示している）。
【００３２】
真空コンベヤ１ａは、例えば、スウェーデンのＰｉａｂ  ＡＢ社が製造及び販売している従来の真空コンベヤ・ユニットでよい。
【００３３】
次に、図３を参照する。これは、本発明による空気輸送システムに使用するための空気輸送デバイスの第二の実施形態を表す。
【００３４】
第二の空気輸送デバイス１ｂは、いわゆる「供給ホッパ」２ｂを有し、システム１０内へ新しい物質を供給するようにも適応されている。供給ホッパ２ｂ自体は真空輸送システムの技術者に良く知られているので、これについては、さらに説明はしない。第二の空気輸送デバイス１ｂは、コントローラ４ｂの制御で調節できるように適応された制御可能なアクチュエータ５ｂ１、５ｂ２を有し、あるいは制御可能なアクチュエータと通信可能に構成される。これらのアクチュエータは、例えば、輸送物質で搬送ラインＣＬが詰まるのを防ぐために、搬送ラインＣＬ内の物質の質量流量ＭＦを希釈するよう設けられている。制御可能なアクチュエータ５ｂ１、５ｂ２は、例えば、いわゆる「比例式アクチュエータ」であって、電子的に調節可能であり、搬送ラインに流体的に結合された一つ以上のベント５ａ、５ｂを制御するように構成される。ベント５ａ、５ｂは、典型的にバルブとして具現化され、アクチュエータ５ｂ１、５ｂ２と別個であっても、あるいは組み合わされてもよい。ベント５ａ、５ｂは、択一的にアクチュエータ５ｂ１、５ｂ２なしで、直接的に真空によって制御されてもよい。ベント５ａ、５ｂは、正圧を大気へ排出する、あるいは（この特定の実施形態に関して図示及び説明の真空システムとして具現化された場合）周囲空気を提供するように適応される。本実施形態は、管１３へ、すなわち搬送ラインへ流体的に結合された少なくとも一つの圧力／真空リリーフバルブ５ａ、５ｂを利用する。この少なくとも一つのバルブ５ａ、５ｂは、圧力を排気する、あるいは周囲空気を提供するために、管１３に大気への通気口を設けることを可能にするもので、制御されるように適応している。制御可能なアクチュエータ５ｂ１、５ｂ２によって、また、コントローラ４ｂによって制御されて、搬送ラインＣＬ内の物質の質量流量ＭＦは、希釈されるように構成される。
【００３５】
この実施形態の利点は、その特定の空気輸送システムの輸送能力及び輸送物質に対して、供給ホッパ２ｂを介して過度に多くの物質が空気輸送システム内へ供給される問題を解決することである。このため、物質の輸送速度、ゆえに輸送能力が減少することがない、すなわち、パイプ１３内で物質Ｍが詰まることを回避できる。
【００３６】
窒素が使用される場合、供給ホッパ２ｂは蓋を含む。
【００３７】
コントローラ４ａ、４ｂは、択一的に各々、単一のユニット（図示せず）の状態で組み合わせてもよく、デジタル・プロセッサ及びメモリを含んでもよい。コントローラ４ａ、４ｂは、一つ以上のプログラム可能なデジタル・コンピュータとして構成されてもよい。コントローラ４ａ、４ｂには、一つ以上のユーザー・インターフェイス（図示せず）が接続可能であってもよい。それを介して、システム・ユーザー（図示せず）が、システム１０の作動をモニターしても、及び／または、手作業で一つ以上のコマンドを入力し、その作動を制御してもよい。図１に関して上述したコントローラ４ａ、４ｂの各々は、システム１０内のバルブ等の構成部品の物理的動作を提供する一つ以上の電気及び／または電子機械部品を含んでもよい。
システム運用
【００３８】
次に、図４を参照する。これは、エジェクタ・ポンプの異なる圧力または電気式真空ポンプ供給の複数の周波数での真空システム圧力対真空流量のグラフを表す。
【００３９】
図１及び２で説明したように、圧力モニタリング・ライン３は、一つの実施形態によれば、ここでは真空ポンプとして具現化された空気源２ａとコントローラ４ａとの間で結線される。この場合、コントローラ４ａは、フィードバック５ａラインを介して制御信号を生成するように構成されて、第一の空気輸送デバイス１ａ内に構成されたここではポンプである空気源２ａの速度を制御するように構成される。空気源２ａは、異なる圧力Ｐ１…Ｐｎの供給制御信号Ｓポンプへのフィードバックまたは異なる周波数ｆ１…ｆｎの供給制御信号Ｓポンプへのフィードバックを生成するように構成されたコントローラ４ａによって、モニタリング・ライン３からの入力に応じて、例えば、２、３、４、５または６バールの調節可能な供給圧力で（この場合の調節可能な供給圧力を、図４に異なる複数の線分によって示す）、あるいは異なる複数の調節可能な供給周波数、５０、１００、２００、３００または４００Ｈｚで作動する。この場合、フィードバック信号ライン５ａを介した例として、Ｐ１は２バールであり、Ｐ２は３バール等であり、また、上記の例のように、ｆ１は５０Ｈｚであり、ｆ２は１００Ｈｚ等である。コントローラ４ａは、（空気源のタイプに応じて）空気源２ａへの供給（フィード）圧または周波数を制御するので、図４中の縦軸「一定の速度」で示すように、（輸送される物質の）本質的に一定の速度が、（％真空として表す）システム真空圧力及び（ノーマルｍ３／分として表す）真空流量に関係なく、常に得られる。既に説明したように、用語「本質的に一定の速度」は、速度の±２０％の変動を意味するが、それでも「一定の速度」と見なす。
【００４０】
このように、輸送デバイス及びシステムは、空気輸送可能な物質が、本質的に一定の速度で輸送されることを可能にする。この点に関して、空気圧または真空は、物質の本質的に一定の速度を達成するように空気輸送デバイスによって制御される。空気輸送可能な物質の本質的に一定の速度を利用する機能は、空気輸送可能な物質の加速及び／または遅滞の減少を提供する。
【００４１】
説明の実施形態によるデバイス及びシステムの利点は、強力な輸送を提供することである。すなわち、空気輸送システムは、しばしば脆弱で輸送の間に破損し易い物質にも損傷を与えることなく、合理的な本質的に一定の高速で物質を輸送することが可能である。物質の損傷についての問題に対するこの解決策は、長期に渡って必要と感じられていたにもかかわらず、これまで開示されることはなかった。
【００４２】
もう一つの利点は、実施形態による空気デバイス及び輸送システムは、強力な方式で、架橋するパウダーから自由に流れるパウダーまで、多種多様な製品を扱うことができることである。発明の空気輸送システムの典型的な適用分野は、他の必要条件もあるが特に「ロバストネス」が必要とされる食品及び製薬業界である。
【００４３】
もう一つの利点は、輸送システムに使用される管または他の構成部品の、不要な高度の損耗を引き起こす過度に高い輸送速度についての問題も、発明のデバイス及びシステムによって回避できる、あるいは少なくとも低減できることである。
【００４４】
さらに、次のような利点もある。物質の加速の必要が少ないため、電力消費量が少ない。物質が本質的に一定の速度で輸送されるので、物質及び装置に対する損耗が少なくなる。
【００４５】
もう一つの利点は、典型的にノイズが少なくなることである。
【００４６】
ほとんどの気送管輸送システムにおいては、ポンプが連続的に作動することは理解すべきである。すなわち、輸送の開始の度に毎回ポンプを始動するよりはむしろ、ポンプは連続的に作動され、必要でない場合には、空気圧が大気へ排出される。ポンプの連続作動によって形成される連続空気経路に対しては、大気へ正圧を排出する、あるいは（真空システムとして具現化された場合は）周囲空気を提供するベントが必要とされ得る。図１及び３の実施形態に関して説明及び図示したベント５ａ、５ｂが使用されてもよい。
【００４７】
本発明の前述の説明は、解説及び説明のために提示したものである。さらに、その説明は、本発明を、本明細書に開示された形態へ限定することを意図していない。したがって、上記の教示事項に相当な変形及び変更を加えたもの、及び、関連技術における技能及び知識は、本発明の範囲内にある。上記説明の実施形態は、さらに、本発明の実践に関する既知のモードを説明し、他の当業技術者が、そのような実施形態または他の実施形態において、本発明の特定の適用または用途に必要な種々の修正を加えて、本発明を利用できるようにすることを意図している。
【図１】
2016222463.tif 000003
【図２】
2016222463.tif 000004
【図３】
2016222463.tif 000005
【図４】
2016222463.tif 000006